(57)【要約】【課題】端子間の電気的接続の信頼性を向上させる。【解決手段】フロントケース２には、基板ハウジング５２が固定された基板５が収容されている。基板ハウジング５２には、雌端子７が収容されている。雌端子７は基板５に実装されている。リアケース３には、前後方向に貫通した貫通孔３６が形成されている。リアケース３に対して装着可能なコネクタハウジング６１には、雄端子８が収容されている。貫通孔３６内で基板ハウジング５２とコネクタハウジング６１とを嵌合させたとき、雌端子７と雄端子８は前後方向に沿って摺動しながら接触するとともに、両端子の接触によって上下方向に互いに弾性変形可能に構成されている。【選択図】図２
2018026650.tif 000002
【特許請求の範囲】
【請求項１】
レンズ部材及び前記レンズ部材を保護する保護部材の少なくとも一方が取り付けられているとともに、取り付けられた前記レンズ部材及び前記保護部材の少なくとも一方に対向するように形成された開口を有する第１ケースと、
撮像素子と電気的に接続された第１端子が実装され、前記第１ケースの内部に配置された基板と、
前記第１ケースの前記開口を塞ぐ第２ケースと、
前記第１端子と電気的に接続される第２端子が収容された第２端子収容部を有するコネクタとを備えており、
前記基板には、前記第１端子が収容された第１端子収容部が固定され、
前記第２ケースには、前記第１ケースと前記第２ケースとが対向する対向方向に貫通し且つ前記第１端子収容部及び前記第２端子収容部を収容可能な貫通孔が形成され、
前記第２端子にはケーブルが接続され、
前記コネクタは、装着状態において前記第２端子収容部が前記貫通孔内に収容されるように、前記第２ケースに対して装着可能であり、
前記第１及び第２端子は、前記対向方向に沿って延在しているとともに、第１端子収容部及び前記第２端子収容部を前記貫通孔に収容したときに前記貫通孔内で前記対向方向に沿って摺動しながら接触するとともに、両端子の接触によって前記対向方向と直交する第１方向に互いに弾性変形可能に構成されていることを特徴とする撮像装置。
【請求項２】
前記第２ケースは、前記貫通孔を包囲する包囲壁を有し、
前記コネクタは、弾性材料によって形成された弾性部材を有し、
前記コネクタが前記第２ケースに装着されて前記第２端子収容部が前記貫通孔内に収容されたときに、前記弾性部材は前記包囲壁を内側から全周に亘って押圧することを特徴とする請求項１に記載の撮像装置。
【請求項３】
前記コネクタは、前記弾性部材に対向するカバー部材を備え、
前記コネクタにおいて、前記第２端子収容部と前記弾性部材とカバー部材とが前記対向方向に並んで配置され、
前記ケーブルが、前記弾性部材及び前記カバー部材によって支持されていることを特徴とする請求項２に記載の撮像装置。
【請求項４】
前記第２端子収容部及び前記カバー部材の少なくとも一方には、他方に向かって突出したボス部が形成され、
前記弾性部材には、前記ボス部に対向する部分に前記対向方向に凹んだ凹部が形成されていることを特徴とする請求項３に記載の撮像装置。
【請求項５】
前記第２端子収容部及び前記カバー部材の少なくとも一方に２以上のボス部が形成され、
前記２以上のボス部は、前記コネクタを前記対向方向からみたとき、前記コネクタの中心に対して点対称又は前記中心を通る線に対して線対称の位置に配置されていることを特徴とする請求項４に記載の撮像装置。
【請求項６】
前記コネクタは、前記第２ケースに係合する第１係合部を有し、
前記第２ケースには、前記第１端子及び前記第２端子の摺動が終了した状態において、前記第１係合部に係合する第２係合部を有していることを特徴とする請求項１〜５のいずれか１項に記載の撮像装置。
【請求項７】
前記コネクタは、前記第２ケースに対して装着された状態から取り外し可能であることを特徴とする請求項１〜６のいずれか１項に記載の撮像装置。
【発明の詳細な説明】
【技術分野】
【０００１】
本発明は、車両等に搭載される撮像装置に関する。
【背景技術】
【０００２】
車両等に搭載される撮像装置として、カメラケースと、カメラケースの内部に収容された基板とを有するものが知られている（例えば、特許文献１）。カメラケースは、レンズを保護する保護部材が取り付けられたフロントケースと、外部コネクタ（ケーブルの先端に設けられた端子と当該端子を収容するコネクタハウジングとを有する）が嵌合するリアケースとから構成されている。カメラケースの内部に収容される基板には、撮像素子に電気的に接続された雌端子が実装されている。雌端子は、基板に固定された収容ハウジングに収容されている。リアケースは、一端部が外部コネクタの端子と電気的に接続され、他端部が基板に実装された雌端子と電気的に接続される雄端子と、収容ハウジングに嵌合可能であり、雄端子の他端部が底部から突出する嵌合ハウジングとを有する。そして、収容ハウジングと嵌合ハウジングとが嵌合することで、雌端子と雄端子とが接触して電気的に接続され、外部コネクタと撮像素子とが電気的に接続される。
【先行技術文献】
【特許文献】
【０００３】
【特許文献１】特開２０１３−２１０４８０号公報
【発明の概要】
【発明が解決しようとする課題】
【０００４】
上記特許文献１に記載の撮像装置においては、基板に実装された雌端子が雄端子との接触によって、収容ハウジングと嵌合ハウジングとの嵌合方向と直交する直交方向に弾性変形可能に構成されているものの、雄端子は当該直交方向に弾性変形しない。撮像装置に振動や衝撃が生じると、雌端子の弾性変形だけでは吸収しきれずに、雌端子と雄端子とが直交方向に離隔し接触不良が生じることがある。これにより、端子同士の電気的接続の信頼性が低下する。
【０００５】
そこで、本発明の目的は、端子間の電気的接続の信頼性を向上させることが可能な撮像装置を提供することである。
【課題を解決するための手段】
【０００６】
本発明は、レンズ部材及び前記レンズ部材を保護する保護部材の少なくとも一方が取り付けられているとともに、取り付けられた前記レンズ部材及び前記保護部材の少なくとも一方に対向するように形成された開口を有する第１ケースと、撮像素子と電気的に接続された第１端子が実装され、前記第１ケースの内部に配置された基板と、前記第１ケースの前記開口を塞ぐ第２ケースと、前記第１端子と電気的に接続される第２端子が収容された第２端子収容部を有するコネクタとを備えている。前記基板には、前記第１端子が収容された第１端子収容部が固定され、前記第２ケースには、前記第１ケースと前記第２ケースとが対向する対向方向に貫通し且つ前記第１端子収容部及び前記第２端子収容部を収容可能な貫通孔が形成され、前記第２端子にはケーブルが接続されている。前記コネクタは、装着状態において前記第２端子収容部が前記貫通孔内に収容されるように、前記第２ケースに対して装着可能である。前記第１及び第２端子は、前記対向方向に沿って延在しているとともに、第１端子収容部及び前記第２端子収容部を前記貫通孔に収容したときに、前記貫通孔で前記対向方向に沿って摺動しながら接触するとともに、両端子の接触によって前記対向方向と直交する第１方向に互いに弾性変形可能に構成されている。
【０００７】
上記構成では、撮像装置に振動や衝撃が生じても、第１及び第２端子が第１方向に弾性変形可能であるため、一方の端子だけが第１方向に弾性変形するものと比して、端子間における振動や衝撃を吸収することができる。このため、第１端子と第２端子との電気的接続の信頼性が向上する。
また、上記構成では、第２ケースの貫通孔内で第１及び第２端子を接触させることにより、コネクタと撮像素子とを電気的に接続することができる。従来は第２ケースに第３端子が装着され、第１端子と第２端子とをそれぞれ第３端子に接触させ、第３端子を介して第１及び第２端子の電気的接続を図ることでコネクタと撮像素子とを電気的に接続していたが、上記構成では、第１端子と第２端子とを直接接触させるため、端子同士の接触箇所を減らすことが可能となり、第１端子と第２端子との電気的接続の信頼性が向上する。
さらに、第２ケースに対して装着可能なコネクタの第２端子収容部に収容された第２端子にケーブルが接続されているため、第１ケースに第２ケースを取り付けるときコネクタを第２ケースから外しておけば、取り付け作業器具がケーブルと干渉することがない。したがって、撮像装置の組立工程において作業性が向上する。
【０００８】
また、上記構成において、前記第２ケースは、前記貫通孔を包囲する包囲壁を有し、前記コネクタは、弾性材料によって形成された弾性部材を有し、前記コネクタが前記第２ケースに装着されて前記第２端子収容部が前記貫通孔内に収容されたときに、前記弾性部材は前記包囲壁を内側から全周に亘って押圧することが好ましい。
【０００９】
上記構成では、弾性部材によってコネクタと第２ケースとの間を封止できるため、コネクタと第２ケースとの間から液体等が浸入することを抑止できる。
【００１０】
また、上記構成において、前記コネクタは、前記弾性部に対向するカバー部材を備え、前記コネクタにおいて、前記第２端子収容部と前記弾性部材とカバー部材とが前記対向方向に並んで配置され、前記ケーブルが、前記弾性部材及び前記カバー部材によって支持されていることが好ましい。
【００１１】
上記構成では、第２端子収容部を第２ケースの貫通孔内に収容するとき、コネクタのカバー部材を貫通孔に向かって押圧することで、弾性部材及び第２端子収容部を含めたコネクタ全体を前方に変位させて、第２端子収容部を貫通孔内に収容することができる。これにより貫通孔内で第１端子と第２端子が摺動接触するようにすることができる。
【００１２】
また、上記構成において、前記第２端子収容部及び前記カバー部材の少なくとも一方には、他方に向かって突出したボス部が形成され、前記弾性部材には、前記ボス部に対向する部分に前記対向方向に凹んだ凹部が形成されていることが好ましい。
【００１３】
カバー部材を前方に変位させると、弾性部材が弾性変形することでカバー部材の変位量が吸収されるが、第２端子収容部及び／又はカバー部材にボス部が形成された部分では、第２端子収容部とカバー部材が近接し、これらの間の弾性部材の厚みが薄い。したがって、ボス部が形成された部分では、カバー部材を前方に変位させたときに弾性部材の変位量が小さくなってカバー部材の力が第２端子収容部に伝わりやすい。これによりカバー部材の変位量とさせると、カバー部材の変位量とほぼ同等の量だけ第２端子収容部が前方へ変位するため、第２端子収容部を貫通孔内に完全に収容することができる。したがって第１端子と第２端子の接触不良を抑止できる。
【００１４】
また、上記構成において、前記第２端子収容部及び前記カバー部材の少なくとも一方に２以上のボス部が形成され、前記２以上のボス部は、前記コネクタを前記対向方向からみたとき、前記コネクタの中心に対して点対称又は前記中心を通る線に対して線対称の位置に配置されていることが好ましい。
【００１５】
上記構成では、２以上のボス部がコネクタの中心に対して点対称又は線対称の位置に配置されているため、カバー部材の力が第２端子収容部に均等にかかりやすい。これにより第２端子収容部全体が前方へ変位しやすくなるため、コネクタ全体が貫通孔内に収容される。
【００１６】
また、上記構成において、前記コネクタは、前記第２ケースに係合する第１係合部を有し、前記第２ケースには、前記第１及び第２端子の摺動が終了した状態において、前記第１係合部に係合する第２係合部を有していることが好ましい。
【００１７】
上記構成では、第１端子と第２端子との摺動が終了した状態、つまり第１端子と第２端子とが接触した状態が継続されるため、第１端子と第２端子との接続不良が起こりにくい。
【００１８】
また、上記構成において、前記コネクタは、前記第２ケースに対して装着された状態から取り外し可能であることが好ましい。コネクタを第２ケースから取り外すことで、第１ケース及び第２ケースを簡易に交換できる。
【発明の効果】
【００１９】
本発明によると、第１及び第２端子が端子間における振動や衝撃を吸収することができるため、端子間の電気的接続の信頼性を向上させることができる。
【図面の簡単な説明】
【００２０】
【図１】本発明の一実施形態に係る撮像装置の分解斜視図であり、撮像装置を後方からみた図である。
【図２】本発明の一実施形態に係る撮像装置の分解断面図である。
【図３Ａ】図１に示す基板に固定された基板ハウジングの斜視図であって基板ハウジングを後方からみた図である。
【図３Ｂ】基板ハウジングの拡大正面図である。
【図４】図１に示すコネクタの分解側面図である。
【図５Ａ】コネクタを前方からみた斜視図であり、シールゴムを省略した図である。
【図５Ｂ】コネクタを後方からみた斜視図であり、シールゴムを省略した図である。
【図６Ａ】シールゴムを前方からみた斜視図である。
【図６Ｂ】シールゴムを後方からみた斜視図である。
【図７】コネクタの側面図である。
【図８Ａ】撮像装置を組み立てる工程を示す断面図である。
【図８Ｂ】撮像装置を組み立てる工程を示す断面図である。
【図８Ｃ】撮像装置を組み立てる工程を示す断面図である。
【図９】撮像装置を後方からみた斜視図である。
【発明を実施するための形態】
【００２１】
以下、本発明の好適な実施形態について、図面を参照しつつ説明する。
【００２２】
撮像装置１は、図１及び図２に示すように、フロントケース（第１ケース）２及びリアケース（第２ケース）３を有するカメラケース４と、カメラケース４の内部に収容される基板５と、カメラケース４の後部に嵌合するコネクタ６とを含む。フロントケース２とリアケース３とは、図中の前後方向に対向している。以下では、フロントケース２とリアケース３とが対向する前後方向を「対向方向」と呼ぶことがある。撮像装置１は、車両等に搭載され、車両の外部景色を撮影する。
【００２３】
撮像装置１を組み立てたとき、フロントケース２とリアケース３とは、シール部材等を介して当接し、溶接、接着剤、ネジ止め等により一体に固定される。これにより防水構造が構成される（図９参照）。フロントケース２及びリアケース３は樹脂により形成されている。
【００２４】
<フロントケース>
フロントケース２は箱状に形成され、図２に示すように、前端部に保護部材２１が一体的に取り付けられている。保護部材２１には、例えば、樹脂により形成された透明な部材やフィルム状の透明な部材を用いることができる。フロントケース２の後端部には、保護部材２１に対向するように、開口２２が形成されている。フロントケース２の内側面には、基板５を固定するための固定板（不図示）が形成されている。
【００２５】
<リアケース>
リアケース３は、図１及び図２に示すように、フロントケース２の開口２２を塞ぐリア部３１を有する。リア部３１は、基板５に対向する平板部３２と、平板部３２の周縁から前方に向かって突出した周壁部３３とを有する。周壁部３３は、フロントケース２とシール部材等を介して当接する（図８Ａ参照）。
【００２６】
平板部３２は、基板５と対向する前面３２ａと、基板５と反対側に配置される後面３２ｂとを有している。前面３２ａからは、前方ハウジング３４が前方に向かって突出している。後面３２ｂからは、後方ハウジング（包囲壁）３５が後方に向かって突出している。前方ハウジング３４及び後方ハウジング３５は、平板部３２を挟んで前後方向に互いに対向する位置に形成されている。前方ハウジング３４と平板部３２と後方ハウジング３５とには、前後方向に連通した貫通孔３６が形成されている。貫通孔３６は、リアケース３を前後方向に貫通している。
【００２７】
前方ハウジング３４には基板ハウジング（第１端子収容部）５２が装着されている（後述する図８Ａ参照）。基板ハウジング５２は、貫通孔３６内に収容されている。
【００２８】
後方ハウジング３５にはコネクタ６が着脱可能である（後述する図８Ｃ参照）。コネクタ６が後方ハウジング３５に装着された状態では、後述するコネクタハウジング６１が貫通孔３６内に収容されている。
【００２９】
後方ハウジング３５の上壁３５Ｕからは、上係合部（第２係合部）３５ｓが上方に向かって突出している。また、後方ハウジング３５の下壁３５Ｌからは、下係合部（第２係合部）３５ｔが下方に向かって突出している。上係合部３５ｓ及び下係合部３５ｔは、コネクタ６が後方ハウジング３５に装着されたとき、コネクタ６の上延在部（第１係合部）９２及び下延在部（第１係合部）９３に係合する（図８Ｃ参照）。
【００３０】
<基板>
基板５は、図２に示すように、保護部材２１に対向して配置される前面５ａと、リア部３１に対向して配置される後面５ｂとを有している。基板の前面５ａには、レンズ部材５１が取り付けられているとともに、図示しないＣＣＤ又はＣＭＯＳ等の撮像素子が実装されている。基板５の後面５ｂには、図１に示すように、リア部３１に向かって突出した基板ハウジング５２が固定されている。基板ハウジング５２には、６つの雌端子（第１端子）７が収容されている。６つの雌端子７は、基板５の後面５ｂに実装されている。
【００３１】
雌端子７は、図２に示すように、金属板を打ち抜くことで形成されたフォーク状端子であり、上下方向に対向した一対の接触片７０と、一対の接触片７０の前端を保持した接続片７１とを有している。
【００３２】
一対の接触片７０は、前後方向に延在した上接触片７２及び下接触片７３を有する。上接触片７２及び下接触片７３は上下方向に互いに離隔している。上接触片７２の前端及び下接触片７３の前端は、上下方向に延在した接続片７１に接続されている。これにより一対の接触片７０は、後端部が上下方向に変位可能、すなわち弾性変形可能に構成されている。
【００３３】
上接触片７２の後端部には、下接触片７３に近付く方向（図２の拡大図中の下方向）に突出した上突出部７２ｔが形成されている。下接触片７３の後端部には、上接触片７２の後端部に近付く方向（図２の拡大図中の上方向）に突出した下突出部７３ｔが形成されている。上突出部７２ｔの先端（図２の拡大図中の下端）と下突出部７３ｔの先端（図２の拡大図中の上端）との離隔距離ｘは、後述する雄端子８の接触部８１の上下方向厚さｙより若干小さい。
【００３４】
接続片７１は基板５の後面５ｂに実装されている。接続片７１は、基板５上の配線を介して基板５に搭載された撮像素子と電気的に接続されている。
【００３５】
接続片７１の下端からは、後方に向かって固定片７４が延在している。固定片７４は、雌端子７を基板ハウジング５２に固定する。
【００３６】
雌端子７は、基板ハウジング５２の底壁５３ｂに形成された孔５５ｂに挿入されている（図３Ａ参照）。基板ハウジング５２には、上述したように６つの雌端子７が収容されている。このうち３つの雌端子７は、図２の拡大図に示すように、上接触片７２、下接触片７３及び固定片７４が上からこの順に位置するように配置されている。残りの３つの雌端子はこれと上下逆になるように配置されている。つまり、固定片７４、下接触片７３及び上接触片７２が上からこの順に位置している（図３Ｂ参照）。
【００３７】
基板ハウジング５２には、図３Ａに示すように、後方に（図１に示すリアケース３に）向かって開口した凹部５２Ａが形成されている。凹部５２Ａは、第１環状壁５３によって画定されている。第１環状壁５３は、上壁５３ｕと、下壁５３ｖと、右壁５３ｒと、左壁５３ｌとを有している。上壁５３ｕと下壁５３ｖとの間には、左右に細長い中央壁５４が配置されている。
【００３８】
底壁５３ｂと上壁５３ｕの角部には、図３Ｂに示すように、左右方向に離隔した３つの支持部５５が形成されている。各支持部５５は、溝５６を挟んだ一対の支持片から構成されている。各支持部５５は、底壁５３ｂに形成された孔（雌端子７が挿入された孔）の近傍に形成されている。溝５６に配置された雌端子７の上接触片７２は、支持部５５を構成する一対の支持片により左右方向に挟むように支持されている。
【００３９】
中央壁５４には、３つの溝５６に対向する位置に３つの溝５７が形成されている。各溝５７には、溝５６に配置された上接触片７２と対の下接触片７３が配置されている。溝５７は、下接触片７３が弾性変形することにより上下方向に変位可能な大きさに形成されている（図２の拡大図参照）。
【００４０】
上記では中央壁５４の上側について説明したが、中央壁５４の下側にも他の３の雌端子７を支持する支持部１５５が形成されている。
【００４１】
図３Ｂに示すように、底壁５３ｂと下壁５３ｖの角部には、左右方向に離隔した３つの支持部１５５が形成されている。各支持部１５５は、溝１５６を挟んだ一対の支持片から構成されている。溝１５６に配置された雌端子７の上接触片７２は、支持部１５５を構成する一対の支持片により左右方向に挟むように支持されている。中央壁５４には、溝１５６に対向する位置に図示しない溝が形成されている。各溝には、溝１５６に配置された上接触片７２と対の下接触片７３が配置されている（図３Ｂ参照）。溝は下接触片７３が弾性変形することにより上下方向に変位可能な大きさに形成されている
【００４２】
上壁５３ｕと底壁５３ｂの角部に形成された支持部５５と、下壁５３ｖと底壁５３ｂの角部に形成された支持部１５５とは、支持部５５（支持部１５５）の大きさだけ左右方向にずれている。
【００４３】
<コネクタ>
コネクタ６は、図４に示すように、コネクタハウジング（第２端子収容部）６１と、シールゴム（弾性部材）６２と、カバー部材６３とを有している。コネクタハウジング６１と、シールゴム６２と、カバー部材６３とは、前後方向について前方からこの順に配置されている。
【００４４】
コネクタハウジング６１には、図５Ａに示すように、前方に向かって開口した凹部６１Ａが形成されている。コネクタハウジング６１が基板ハウジング５２に嵌合したとき、凹部６１Ａに基板ハウジング５２の中央壁５４（図１及び図３Ａ参照）が嵌まる。なお、図５Ａ及び図５Ｂでは、シールゴム６２の図示を省略している。
【００４５】
凹部６１Ａは、図５Ａに示すように、第２環状壁６４によって画定されている。第２環状壁６４は、上壁６４ｕと、下壁６４ｖと、右壁６４ｒと、左壁６４ｌとを有する。上壁６４ｕには３つの孔６５が形成されている。３つの孔６５は、左右方向に離隔し、前後方向に延在している。下壁６４ｖにも３つの孔６５が形成されている（図５Ｂ参照）。下壁６４ｖの孔６５は、左右方向に離隔し、前後方向に延在している。上壁の孔６５及び下壁の孔６５には、それぞれ雄端子（第２端子）８が収容されている（図２参照）。雄端子８の後端には、ケーブル９が接続されている。図５Ａ及び図５Ｂでは、雄端子８及びケーブル９を省略している。
【００４６】
雄端子８には、図２に示すように、雌端子７と接触する接触部８１が形成されている。接触部８１は、図２の拡大図に示すように、上下方向に離隔しつつ前後方向に沿って略平行となるように金属板が後方に折り曲げられている。この構成から、接触部８１は上下方向に弾性変形可能である。接触部８１の上下方向厚さｙは、雌端子７の上突出部７２ｔと下突出部７３ｔとの離隔距離ｘより若干大きい（図２の拡大図参照）。雄端子８は、その後端においてケーブル９の芯線（不図示）と接続されている。
【００４７】
ケーブル９は、コネクタ６に形成された貫通孔１０に挿通している。コネクタ６には６つの貫通孔１０が形成され、各貫通孔１０にケーブル９が配置されている（図１参照）。６つの貫通孔１０は、上段及び下段に３つずつ配置されている。コネクタを後方から視たとき、上段の３つの貫通孔１０は左寄りに配置され、下段の３つの貫通孔１０は右寄りに配置されている。上段の３つの貫通孔１０と下段の３つの貫通孔１０とは左右方向にずれている。
【００４８】
貫通孔１０は、コネクタハウジング６１に形成された貫通孔１０Ａと、シールゴム６２に形成された貫通孔１０Ｂと、カバー部材６３に形成された貫通孔１０Ｃとによって構成されている（図５Ａ、図５Ｂ、図６Ａ及び図６Ｂ参照）。
【００４９】
コネクタハウジング６１の後面６１ａからは、図４に示すように、ハウジング上ボス部６６及びハウジング下ボス部６７が後方に向かって突出している。コネクタハウジング６１を後方からみたとき、後面６１ｂの右上部にハウジング上ボス部６６が形成され、後面６１ｂの左下部にハウジング下ボス部６７が形成されている（図５Ａ及び図５Ｂ参照）。
【００５０】
ハウジング上ボス部６６及びハウジング下ボス部６７は、コネクタ６を前方又は後方からみたとき、コネクタハウジング６１の中心に対して点対称の位置にある。コネクタハウジング６１の中心は、コネクタ６の中心Ｃである。コネクタ６の中心Ｃとは、例えば、本実施形態のようにコネクタ６を前方又は後方からみたときにコネクタ６が四角形の場合、四角形の対角線の交点である。また、本実施形態のようにコネクタ６を前方又は後方からみたときにコネクタ６が正方形（正多角形）の場合、内角が１８０度未満の全ての頂点から等距離に位置する点である。
【００５１】
カバー部材６３は、図４に示すように、シールゴム６２の後方に配置されるカバー部９１と、カバー部９１の上方において前方向に延在した上延在部９２と、カバーの下方において前方向に延在した下延在部９３とを有する。
【００５２】
カバー部９１はシールゴム６２よりやや大きい。カバー部９１には、前方に突出したゴム対向部９４が形成されている。ゴム対向部９４はシールゴム６２と同様な大きさであり、シールゴム６２の後面部６２ｂに対向する（図７参照）。
【００５３】
ゴム対向部９４からは、カバー上ボス部９６及びカバー下ボス部９７が前方向に突出している（図５Ａ参照）。ゴム対向部９４において、カバー上ボス部９６は図５Ａ中の右上部に形成され、カバー下ボス部９７は図５Ａ中の左下部に形成されている。カバー上ボス部９６及びカバー下ボス部９７は、カバー部材６３を前方又は後方から視たとき、カバー部材６３の中心に対して点対称の位置にある。カバー部材６３の中心は、上述したコネクタ６の中心Ｃである。
【００５４】
コネクタ６を組み立てたとき、図５Ａ及び図５Ｂに示すように、図示しないシールゴム６２を挟んで、カバー上ボス部９６とハウジング上ボス部６６とが前後方向に対向し、カバー下ボス部９７とハウジング下ボス部６７とが前後方向に対向する。
【００５５】
カバー部材６３の上延在部９２は、一対の延在部９２Ａと、一対の延在部９２Ａの前端同士を接続した前接続部（第１係合部）９２Ｂとを有する。一対の延在部９２Ａは左右方向に離隔した右延在部９２ａ及び左延在部９２ｂを有する。前接続部９２Ｂは図５Ａ中の左右方向に延在している。コネクタ６をリアケース３の後方ハウジング３５に装着したとき、前接続部９２Ｂは後方ハウジング３５の上係合部３５ｓに係合する（図９参照）。
【００５６】
下延在部９３は、図５Ｂに示すように、上延在部９２と同様な構成である。コネクタ６をリアケース３の後方ハウジング３５に装着したとき、下延在部９３の前接続部９３Ｂは、後方ハウジング３５の下係合部３５ｔに係合する（図８Ｃ参照）。
【００５７】
シールゴム６２は、ゴム等の弾性材料から形成され、図６Ａに示すように前後方向に厚みを有する。シールゴム６２の全外周面には、厚さ方向（前後方向）に凹凸が繰り返し形成されている。凸部６２ｓは先端に近付くにつれて前後方向に細くなっている。
【００５８】
シールゴム６２の前面部６２ａには、図６Ａ中の右上部にコネクタ対向上凹部１０１が形成され、図６Ａ中の左下部にコネクタ対向下凹部１０２が形成されている。コネクタ対向上凹部１０１及びコネクタ対向下凹部１０２は前方に向かって開口している。シールゴム６２の後面部６２ｂには、図６Ｂ中の右上部にカバー対向上凹部１０３が形成され、図６Ｂ中の左下部にカバー対向下凹部１０４が形成されている。カバー対向上凹部１０３及びカバー対向下凹部１０４は後方に向かって開口している。前面部６２ａは、図４に示すように、コネクタハウジング６１の後面６１ａに対向し、後面部６２ｂはカバー部材６３のゴム対向部９４に対向する。
【００５９】
前面部６２ａにおいて、コネクタ対向上凹部１０１にはコネクタハウジング６１のハウジング上ボス部６６が嵌まり、コネクタ対向下凹部１０２にはコネクタハウジング６１のハウジング下ボス部６７が嵌まる。後面部６２ｂにおいて、カバー対向上凹部１０３にはカバー部９１のカバー上ボス部９６が嵌まり、カバー対向下凹部１０４にはカバー下ボス部９７が嵌まる（図７参照）。
【００６０】
前後方向について、ハウジング上ボス部６６とカバー上ボス部９６とが対向した部分、及び、ハウジング下ボス部６７とカバー下ボス部９７とが対向した部分では、他の部分よりもシールゴム６２の厚みが薄い。
【００６１】
ここで、コネクタを組み立てる方法について、図４〜図７を参照しつつ説明する。
【００６２】
コネクタハウジング６１に雄端子８が収容され、雄端子８の後端にはケーブル９が接続されている（図４参照）。ケーブル９をシールゴム６２の貫通孔１０Ｂ（図６Ａ参照）に挿通させ、シールゴム６２をコネクタハウジング６１の後面６１ａに当接させる。このとき、コネクタハウジング６１のハウジング上ボス部６６及びハウジング下ボス部６７をそれぞれシールゴム６２のコネクタ対向上凹部１０１及びコネクタ対向下凹部１０２に嵌める。
【００６３】
続いて、ケーブル９をカバー部材６３の貫通孔１０Ｃに挿通させ（図５Ｂ参照）、ゴム対向部９４をシールゴム６２の後面部６２ｂに当接させる。このとき、カバー部材６３のカバー上ボス部９６及びカバー下ボス部９７をそれぞれシールゴム６２のカバー対向上凹部１０３及びカバー対向下凹部１０４に嵌める。これによりコネクタハウジング６１とシールゴム６２とカバー部材６３とが一体になる（図７参照）。
【００６４】
本実施形態では、ケーブル９とシールゴム６２とが封止されている。そのため、カバー部材６３とケーブル９との間から液体が浸入しても、液体はケーブル９とシールゴム６２との間からコネクタハウジング６１へと浸入しない。
【００６５】
カバー部材６３の上延在部９２と下延在部９３とは、コネクタハウジング６１及びシールゴム６２を上下方向に挟むように配置されている。上延在部９２及び下延在部９３はコネクタハウジング６１及びシールゴム６２と離隔している。
【００６６】
続いて、撮像装置の組立方法を図８Ａ、図８Ｂ及び図８Ｃを用いて説明する。
【００６７】
図８Ａに示すように、基板５に搭載された撮像素子の光軸と保護部材２１の光軸とが一致するように、基板５をフロントケース２に固定する。次に、リアケース３の前方ハウジング３４を基板ハウジング５２に装着しながら、リア部３１でフロントケース２の開口２２を塞ぐ。そしてリア部３１をフロントケース２に固定する。固定方法は、例えば超音波やレーザー等を照射して溶着してもよく、接着剤により固定してもよく、ネジ止めしてもよい。このとき、ケーブル９が引き出されたコネクタ６はリアケース３に装着されていないため、リア部３１をフロントケース２に固定するための作業器具がケーブル９と干渉することはない。
【００６８】
続いて、コネクタ６をリアケース３の後方ハウジング３５に装着しながら、リアケース３の貫通孔３６内で基板ハウジング５２とコネクタハウジング６１を嵌合させる。この過程において、図８Ｂの拡大図に示すように、基板ハウジング５２の上壁５３ｕと中央壁５４との間に、コネクタハウジング６１の上壁６４ｕが配置される。また、雌端子７の一対の接触片７０（上接触片７２と下接触片７３）の間に雄端子８の接触部８１が挿入され（図８Ｃ参照）、上突出部７２ｔ及び下突出部７３ｔが接触部８１と前後方向に摺動しながら接触する。嵌合前の上突出部７２ｔと下突出部７３ｔとの離隔距離ｘは、接触部８１の上下方向厚さ（ｙ）よりも若干小さいが（図８Ｂの拡大図参照）、上接触片７２と下接触片７３との間に接触部８１が配置されると、中央壁５４の溝５６に収容された下接触片７３が弾性変形して上突出部７２ｔと下突出部７３ｔとの離隔距離が広がるとともに、図８Ｃの拡大図中の矢印で示すように、一対の接触片７０が接触部８１を上下方向に挟持する。
【００６９】
また、雄端子８の接触部８１は、金属板が上下方向Ｂに離隔してなるため、一対の接触片７０の挟持力によって金属板同士の離隔距離が小さくなるように弾性変形する。
【００７０】
このように雌端子７及び雄端子８は、互いに上下方向に弾性変形可能に構成されている。こうして、ケーブル９の雄端子８と雌端子７とが電気的に接続され、撮像素子とケーブル９とが電気的に接続される。
【００７１】
また、上記過程において、シールゴム６２が貫通孔３６内に配置されると、シールゴム６２の外周面が後方ハウジング３５の内周面を押圧する。これによりカバー部材６３を前方に向かって押圧しても、コネクタ６が前方に進みにくい。また、カバー部材６３が前方に変位すると、シールゴム６２が弾性変形することでカバー部材６３の変位量を吸収し、コネクタハウジング６１が前方へ変位しにくい。
【００７２】
しかし、本実施形態では、図７に示すように、ハウジング上ボス部６６とカバー上ボス部９６とが対向した部分、及び、ハウジング下ボス部６７とカバー下ボス部９７とが対向した部分で、他の部分よりシールゴム６２の厚みが薄い。したがって、対向するボス部間ではシールゴム６２がカバー部材６３の変位を吸収する量が小さく、カバー部材６３の力がコネクタハウジング６１に伝わりやすい。よって、本実施形態では、カバー部材６３を前方に押圧すると、コネクタハウジング６１が前方へ変位しやすい。
【００７３】
また、図８Ｃに示すように、シールゴム６２が貫通孔３６内に配置されると、シールゴム６２の外周面に形成された凸部が後方ハウジング３５の内周面に押し潰され、シールゴム６２が全外周に亘って後方ハウジング３５を内側から押圧する。これにより後方ハウジング３５とコネクタ６との間が封止される。
【００７４】
さらに、上記過程において、コネクタ６の上延在部９２の前接続部９２Ｂが上方へと弾性的に偏倚しつつ後方ハウジング３５の上係合部３５ｓを超える。雌端子７と雄端子８との摺動が終了したとき、前接続部９２Ｂが元の位置に弾性復帰して上係合部３５ｓの前方に配置され、前接続部９２Ｂと上係合部３５ｓとが係合した状態となる。また、下延在部９３の前接続部９３Ｂも同様に、下方へと弾性的に偏倚しつつ後方ハウジング３５の下係合部３５ｔを超える。雌端子７と雄端子８との摺動が終了したとき、前接続部９３Ｂが元の位置に弾性復帰して下係合部３５ｔの前方に配置され、前接続部９３Ｂと下係合部３５ｔとが係合した状態となる。
【００７５】
前接続部９２Ｂと上係合部３５ｓとが係合し、前接続部９３Ｂと下係合部３５ｔとが係合することで、コネクタ６が後方へ移動しない。したがって雄端子８と雌端子７とが電気的に接続された状態が維持され、撮像素子とケーブル９とが電気的に接続された状態が続く。
【００７６】
以上のように、本実施形態によると、以下の効果を奏する。
撮像装置１に振動や衝撃が生じても、雌端子７及び雄端子８が上下方向に弾性変形可能であるため、一方の端子だけが上下方向に弾性変形するものと比して、端子間における振動や衝撃を吸収することができる。このため、雌端子７と雄端子８との電気的接続の信頼性が向上する。
【００７７】
また、本実施形態では、リアケース３の貫通孔３６内で雌端子７と雄端子８を直接接触させることで、撮像素子とコネクタ６との電気的接続を図っている。従来はリアケース３に別の端子が装着され、別の端子を介して上記２つの端子の電気的接続を図っていたが、本実施形態ではこの構成に比べて端子同士の接触箇所を減らすことが可能となる。したがって、雌端子７と雄端子８との電気的接続の信頼性が向上する。
【００７８】
さらに、本実施形態では、コネクタ６のコネクタハウジング６１に収容された雄端子８にケーブル９が接続され、コネクタハウジング６１がリアケース３に対して着脱可能である。これによりケーブル９が引き出されたコネクタハウジング６１をリアケース３に装着していない状態でリアケース３をフロントケース２に固定することができるため、固定するために用いる作業器具がケーブル９と干渉することがない。したがって撮像装置１の組立工程の作業性が向上する。
【００７９】
また、シールゴム６２によってリアケース３の後方ハウジング３５とコネクタハウジング６１との間を封止できるため、リアケース３とコネクタ６との間から液体等が浸入することを抑止できる。さらにシールゴム６２によってケーブル９とリアケース３との間も封止できる。
【００８０】
さらに、コネクタ６では弾性材料からなるシールゴム６２の後方にカバー部材６３が配置されているため、カバー部材６３を前方に押圧することで、シールゴム６２及びコネクタハウジング６１を含めたコネクタ６を前方に変位させることができる。
【００８１】
また、コネクタ６のコネクタハウジング６１にはハウジング上ボス部６６及びハウジング下ボス部６７が形成され、カバー部材６３にはこれらのボス部と前後方向に対向する位置にカバー上ボス部９６及びカバー下ボス部９７が形成されている。さらにシールゴム６２には上記ボス部と対向する位置に凹部が形成されている。この凹部にボス部を嵌めると、対向するボス部間では他の部分よりシールゴム６２の厚さが薄い。コネクタ６のカバー部材６３を前方向に押圧したときに、対向するボス部間ではシールゴム６２の弾性変位量が小さいため、カバー部材６３の力がコネクタハウジング６１に伝わりやすい。したがってコネクタハウジング６１が前方へ変位しやすいため、貫通孔３６内でリアケース３の後方ハウジング３５とコネクタハウジング６１とが完全に嵌合する。したがって、作業ミスが発生しにくくなって雌端子７と雄端子８との接続不良を抑止できる。
【００８２】
また、上記ボス部はコネクタ６を前後方向にみたとき、コネクタ６の中心Ｃに対して点対称に配置されているため、カバー部材６３の力がコネクタハウジング６１に均等にかかりやすい。これによりコネクタハウジング６１全体が同等な量だけ前方へ変位するため、貫通孔３６内でコネクタ６を後方ハウジング３５とコネクタハウジング６１とを完全が嵌合しやすい。
【００８３】
また、雌端子７と雄端子８との摺動が終了した状態において、コネクタ６の前接続部９２Ｂがリアケース３の上係合部３５ｓに係合し、前接続部９３Ｂが下係合部３５ｔに係合する。これによりコネクタ６が後方に変位しないため、雄端子８と雌端子７とが電気的に接続された状態が維持されるので、撮像素子とケーブル９とが電気的に接続された状態が続く。
【００８４】
また、コネクタ６をリアケース３から取り外すことによって、カメラケース４を簡易に交換できる。
【００８５】
以上、本発明の実施形態について図面に基づいて説明したが、具体的な構成は、これらの実施形態に限定されるものでないと考えられるべきである。本発明の範囲は上記した説明ではなく特許請求の範囲によって示され、特許請求の範囲と均等の意味及び範囲内でのすべての変更が含まれる。
【００８６】
例えば、上述の実施形態では、ハウジング上ボス部６６及びハウジング下ボス部６７がコネクタ６の中心Ｃに対して点対称の位置に配置され、カバー上ボス部９６及びカバー下ボス部９７がコネクタ６の中心Ｃに対して点対称の位置に配置されているが、ボス部の位置は変更可能である。例えば、上述した実施形態とは異なる態様で、ボス部がコネクタ６の中心Ｃに対して点対称の位置に配置されていてもよい。また、コネクタ６を前後方向にみたとき、ボス部がコネクタ６の中心Ｃを通る直線に対して線対称の位置に配置されていてもよい。
【００８７】
さらに、上述した実施形態では、リアケース３とコネクタ６とが係合する構成として、リアケース３の後方ハウジング３５に上係合部３５ｓ及び下係合部３５ｔが形成され、コネクタ６のカバー部材６３に前接続部９２Ｂ及び前接続部９３Ｂが形成され、前接続部９２Ｂが上係合部３５ｓに係合し、前接続部９３Ｂが下係合部３５ｔに係合する構成としているが、リアケース３とコネクタ６とが係合する構成はこの構成に限られず、変更可能である。また、上述した実施形態では、コネクタハウジング６１がリアケース３に対して着脱（装着及び取り外し）可能であったが、リアケース３に対してコネクタハウジング６１が取り外し不可能に装着されてもよい。
【符号の説明】
【００８８】
１                撮像装置
２                フロントケース（第１ケース）
３                リアケース（第２ケース）
４                カメラケース
５                基板
６                コネクタ
７                雌端子（第１端子）
８                雄端子（第２端子）
９                ケーブル
２１              保護部材
２２              開口
３１              リア部
３４              前方ハウジング
３５              後方ハウジング（包囲壁）
３５ｓ            上係合部（第２係止部）
３５ｔ            下係合部（第２係止部）
３６              貫通孔
５１              レンズ部材
５２              基板ハウジング（第１端子収容部）
６１              コネクタハウジング（第２端子収容部）
６２              シールゴム（弾性部材）
６３              カバー部材
６６              ハウジング上ボス部
６７              ハウジング下ボス部
８１              接触部
９２Ｂ,９３Ｂ     前接続部（第１係合部）
９４              ゴム対向部
９６              カバー上ボス部
９７              カバー下ボス部
１０１            コネクタ対向上凹部
１０２            コネクタ対向下凹部
１０３            カバー対向上凹部
１０４            カバー対向下凹部
【図１】
2018026650.tif 000003
【図２】
2018026650.tif 000004
【図３Ａ】
2018026650.tif 000005
【図３Ｂ】
2018026650.tif 000006
【図４】
2018026650.tif 000007
【図５Ａ】
2018026650.tif 000008
【図５Ｂ】
2018026650.tif 000009
【図６Ａ】
2018026650.tif 000010
【図６Ｂ】
2018026650.tif 000011
【図７】
2018026650.tif 000012
【図８Ａ】
2018026650.tif 000013
【図８Ｂ】
2018026650.tif 000014
【図８Ｃ】
2018026650.tif 000015
【図９】
2018026650.tif 000016